(57)【特許請求の範囲】
【請求項１】
開閉体を閉じたときにこの開閉体の下端部及び／又は上端部に生ずる隙間を閉塞するための開閉体の隙間閉塞装置において、前記開閉体の下端部及び／又は上端部に当該下端部及び／又は上端部の長手方向に移動可能に配設された検知体と、前記開閉体の下端部及び／又は上端部に前記検知体の移動に連動して当該下端部から垂下可能に及び／又は上端部から起立可能に配設された閉塞体と、前記開閉体の下枠或いは床面及び／又は開閉体の上枠に設けられた係止部材に当接したときに、待機状態にセットされた前記検知体の当該セットを解除して前記検知体に付勢力を付与し、当該検知体の移動及び前記開閉体の、当該開閉体が閉じられる方向への移動に自走力を与える操作体とを備え、前記操作体は、第１操作体、第２操作体及び弾性部材で構成され、前記検知体を待機状態にセットするために当該検知体と第１操作体との間に前記弾性部材を介装し、前記第１操作体に当該第１操作体に対して回動自在に前記第２操作体を配設し、該第２操作体には前記係止部材に係合する凹溝を形成するとともに、前記検知体に設けられた所定形状溝に係合する突条を形成し、前記検知体の移動が、前記弾性部材からの付勢力を受けて前記突条が前記所定形状溝のうちの前記長手方向の溝部に沿う態様で相対移動することに伴って可能になることを特徴とする開閉体の隙間閉塞装置。
【発明の詳細な説明】
【技術分野】
【０００１】
本発明は、開閉体を閉じたときにこの開閉体の下端部と当該開閉体の下枠或いは床面との間、及び／又は開閉体の上端部と当該開閉体の上枠との間に生ずる隙間を閉塞する隙間閉塞装置に関するものである。
【背景技術】
【０００２】
開閉体に付設される装置で、開閉体を閉じたときにこの開閉体の、例えば下端部と当該開閉体の下枠或いは床面との間に生ずる隙間を閉塞する装置は、従来から種々ある。
特許文献１に開示のドアの気密構造は、図７に示すように、ドア１００の下部に、長手方向にＮ極とＳ極を交互に形成した上棒磁石１０１をドア１００の横方向で摺動自在に収納し、上棒磁石１０１の一端をばね１０２にて付勢して他端に連結した接点バー１０３をドア１００の下部側部より側方に突出引退自在にし、ドア１００の下部の上棒磁石１０１の下方に、ドア１００の下面より突出引退可能に気密パッキン１０４を収納し、気密パッキン１０４の上面に長手方向にＮ極とＳ極を交互に形成した下棒磁石１０５を上棒磁石１０１と対向させて取付け、ドア１００を閉じて接点バー１０３をドア枠１０６の内側面に圧接させてドア１００の側部より引退させた状態で上棒磁石１０１と下棒磁石１０５とを同極同士で対面させることにより反発力で気密パッキン１０４をドア１００の下面より突出させて気密パッキン１０４をドア枠１０６の下面に圧接させ、ドア１００を開けて接点バー１０３をドア枠１０６の内側面から離してドア１００の側部より側方に突出させた状態で上棒磁石１０１と下棒磁石１０５とを異極同士で対面させることにより吸引力で気密パッキン１０４をドア１００の下面より引退させるようにしたものである。尚、図７（Ａ）は、従来装置が取付けられるドアの構造図であり、同図（Ｂ）は、従来装置の断面図である。
【０００３】
しかしながら、上述したドアの気密構造においては、気密パッキンを上棒磁石と下棒磁石とを同極同士で対面させることによる反発力でドアの下面より突出させてドア枠の下面に圧接させる場合、ドアを閉じたとき接点バーをドア枠に圧接させて行うが、ドアを勢いよく閉じたとき、かかる接点バーがドア枠の内側面に勢いよく圧接される。このとき気密パッキンが急激に降下しドア枠の下面に当たって騒音を発生するために不快感が生ずる。また、このようなことが繰返されると、気密パッキンやドア枠の下面の損傷を生じかねず、気密構造としての所期の目的が達せられなくなる。
更には、下枠を移動するタイプのドアの場合、上述したドアの気密構造では、ドアをいい加減に閉じたり、或いはドアを勢いよく閉じたときはその衝撃で、ドアとドア枠との間に隙間が生ずることがあり、このとき上記同極同士の対面にズレが生じてそれによる反発力が十分に得られず気密パッキンをドア枠の下面に圧接させることができなくなる結果、気密パッキンとドア枠の下面との間に隙間が生じてしまうために、例えば冷房や暖房の利きが悪くなって不快感が生ずる。
【特許文献１】実開昭６２−３８３９４（第１頁、第１，２図）
【発明の開示】
【発明が解決しようとする課題】
【０００４】
解決しようとする問題点は、開閉体をいい加減に閉じたり、或いはドアを勢いよく閉じても、開閉体の下端部と当該開閉体の下枠或いは床面との間、及び／又は開閉体の上端部と当該開閉体の上枠との間に隙間が生じないようにして、不快感を生ぜしめない構造のものとする点である。
【課題を解決するための手段】
【０００５】
削除
【０００６】
本発明の請求項１に係る扉体閉止装置は、開閉体を閉じたときにこの開閉体の下端部及び／又は上端部に生ずる隙間を閉塞するための隙間閉塞装置で、前記開閉体の下端部及び／又は上端部に当該下端部及び／又は上端部の長手方向に移動可能に配設された検知体と、前記開閉体の下端部及び／又は上端部に前記検知体の移動に連動して当該下端部から垂下可能に及び／又は上端部から起立可能に配設された閉塞体と、前記開閉体の下枠或いは床面及び／又は開閉体の上枠に設けられた係止部材に当接したときに、待機状態にセットされた前記検知体の当該セットを解除して前記検知体に付勢力を付与し、当該検知体の移動及び前記開閉体の、当該開閉体が閉じられる方向への移動に自走力を与える操作体とを備え、前記操作体は、第１操作体、第２操作体及び弾性部材で構成され、前記検知体を待機状態にセットするために当該検知体と第１操作体との間に前記弾性部材を介装し、前記第１操作体に当該第１操作体に対して回動自在に前記第２操作体を配設し、該第２操作体には前記係止部材に係合する凹溝を形成するとともに、前記検知体に設けられた所定形状溝に係合する突条を形成し、前記検知体の移動が、前記弾性部材からの付勢力を受けて前記突条が前記所定形状溝のうちの前記長手方向の溝部に沿う態様で相対移動することに伴って可能になるものである。本隙間閉塞装置によれば、開閉体を、当該開閉体の下枠或いは床面及び／又は開閉体の上枠に設けられた係止部材の位置まで閉じれば、これ以降は開閉体自体が自走して自然に閉じられるので、開閉体の閉め忘れが防止でき、また、開閉体が閉じられると閉塞体が必ず垂下し、開閉体の下端部と当該開閉体の下枠或いは床面の間、及び／又は開閉体の上端部と当該開閉体の上枠の間に隙間が生じないので、例えば冷房や暖房の利きを悪くして不快感を与えることはない。
ところで、上記連動のしかたは、閉塞体を磁性体の同極で反発し磁性体の異極で吸着する方法であっても、例えばリンク機構を用いる方法等であってもよい。
【０００７】
削除
【発明の効果】
【０００９】
本発明の開閉体の隙間閉塞装置は、開閉体自体が自走して自然に閉じられる構造としているために、開閉体の閉め忘れが防止でき、且つ、開閉体の下端部と当該開閉体の下枠或いは床面との間、及び／又は開閉体の上端部と当該開閉体の上枠との間に隙間が生ずることがない利点がある。
【発明を実施するための最良の形態】
【００１０】
本発明の第１の実施の形態に係る開閉体の隙間閉塞装置を図１〜３を参照して説明する。
本隙間閉塞装置１は、引戸（開閉体）Ｐ（図２，３参照）を閉じたときに、本実施の形態では引戸Ｐの下端部と当該引戸の下枠Ｑ（図２，３参照）との間に生ずる隙間を閉塞するためのもので、本実施の形態では図１に示すような断面略コ字状の長尺で薄厚なケース体２を介して引戸Ｐの下端部に取付けられ（ケース体２は下端部にビス（図示せず）などで取付けられる）、たとえ引戸Ｐを勢いよく閉じても下記閉塞体４による騒音が発しないような構造をなしている。
本隙間閉塞装置１は、引戸Ｐの下端部に当該下端部の長手方向に移動可能に、上述のようにケース体２を介して配設された検知体３と、引戸Ｐの下端部に、ケース体２を介して検知体３の、引戸Ｐが閉じられる方向（図２（Ｂ）参照）とは反対方向への移動に連動して当該下端部から垂下可能に配設された閉塞体４と、検知体３の移動速度を緩和する抑制機構５とを備えている。
ところで、本隙間閉塞装置１においては、上記連動のしかたは、後にも詳述するように、検知体３に対し閉塞体４を吸着させるときは当該閉塞体４の磁性部４ｄを用いて、また、吸着を解除するときは磁性部４ｄと検知体３の非磁性部を形成する切欠き溝７ａ１とを対峙させることで行っている。
【００１１】
本隙間閉塞装置１の構成を図１を参照して説明する。
検知体３は、カバー６と、このカバー６の後方に連設される可動片７と、カバー６を貫通する態様で配設される細長な円筒状の軸棒８と、カバー６内に配設されるスプリング９と、この軸棒８の先端部に圧入される短尺な中空円筒形のキャップ１０とで構成され、ケース体２の先端側に配設される。このとき、カバー６は、当該カバー６の前面が引戸Ｐの前端面と一致するように配設されるようになっている（図２，３参照）。
かかるカバー６は、薄厚な箱型状の本体部６ａ及びこの本体部６ａの後端面に配設され、その両側に薄厚の板状鍔６ｂ１を有する従体部６ｂとで構成され、この鍔６ｂ１がケース体２の上部内に当該ケース体２の長手方向に沿って設けられた案内溝２ａに緩挿されるとともに、本体部６ａがケース体２の前端面に突設される態様で当該ケース体２の先端部に取付けられる。そして、このカバー６の本体部６ａ及びこれに連なる従体部６ｂの上面側に開口部が設けられ、この開口部から覗く本体部６ａ及び従体部６ｂの内部には、所定形状に区画された空間６ｃが形成され、また、かかる空間６ｃを通ってこれら本体部６ａ及び従体部６ｂを貫く貫通孔６ｄ１，６ｄ２がケース体２の長手方向（検知体３の移動方向）に一致させてそれぞれ設けられている。
ところで、カバー６は、本実施の形態では検知体３の一構成部材としているが、それ自体がケース体２の所謂化粧カバーであり、これ自体は移動しない。
【００１２】
検知体３の可動片７は、本実施の形態ではそれ自体が、鉄やニッケル、フェライト等のような磁石に吸着される磁性体部材で造られており、極薄厚で長尺な矩形状プレート７ａと、このプレート７ａの先端面中央で当該プレート７ａに対し垂直をなして下方に折曲された小フランジ７ｂとで構成され、このプレート７ａはケース体２の上記案内溝２ａに緩挿される。そして、このプレート７ａの後端部寄りのところにコ字状の切欠き溝７ａ１が設けられており、かかる切欠き溝７ａ１がこの可動片７、即ち、検知体３の非磁性部を形成する。また、小フランジ７ｂには軸棒８の下記溝部８ｂに挟着される逆Ｕ字状溝７ｂ１が設けられている。
【００１３】
検知体３の軸棒８は、上述のように細長な円筒状部材であり、この円筒状部材の中央部より先端部寄りのところに、抑制機構５の構成部材を兼ねるラック８ａが刻設され、この円筒状部材の後端部外周に上述した溝部８ｂが設けられている。そして、軸棒８は、この軸棒８の先端部に上記ラック８ａの一方端に当接する態様で圧入された上記キャップ１０が本体部６ａ側の貫通孔６ｄ１から突出され、また、従体部６ｂ側の貫通孔６ｄ２から突出した軸棒８の溝部８ｂに可動片７の溝７ｂ１が挟着される状態にして、カバー６を貫通する態様で配設される。更に、上記スプリング９が、ラック８ａの他方端面を一方のスプリング座とし、上記貫通孔６ｄ２の、従体部６ｂの内側面を他方のスプリング座としてカバー６内に配設され、かかるスプリング９は、軸棒８を、上述のように当該軸棒８の先端部（キャップ１０が圧入されている部位）がカバー６の貫通孔６ｄ１から突出される方向に付勢している（図２参照）。
【００１４】
検知体３の閉塞体４は、上記ケース体２とほぼ同一の幅で、このケース体２よりカバー６の本体部６ａに相当する長さ分だけ長尺の樹脂成形部材であり、長寸で薄厚なプレート部４ａと、このプレート部４ａの上面で当該プレート部４ａの両端縁からやや離れた位置にそれぞれ立設された断面略Ｉ字状の一対のリブ４ｂと、このプレート部４ａの一方端に当該プレート部４ａの長手方向に沿って設けられた断面小円形状のヒンジ片４ｃとで構成される。そして、この閉塞体４は、当該閉塞体４のヒンジ片４ｃが上記ケース体２の一方端で案内溝２ａの下部に設けられた略Ｃ字状溝孔２ｂに挿入され、かかるヒンジ片４ｃを軸にしてケース体２に対し揺動可能に配設される。また、この閉塞体４には、このプレート部４ａの上面の適宜位置における両リブ４ｂの間に薄厚の矩形状の磁性体（閉塞体の磁性部）４ｄが固着されており、これにより、閉塞体４は、当該閉塞体４の磁性体４ｄにより可動片７、即ち、検知体３に吸着されるようになるが、検知体３の移動によって可動片７の切欠き溝７ａ１、即ち非磁性部が磁性体４ｄに対峙する位置では、上記吸着が解除されるようになっている。
【００１５】
そして、本隙間閉塞装置１においては、検知体３の移動速度を緩和する抑制機構５が、カバー６の本体部６ａ及び従体部６ｂ内部に区画された空間６ｃに配設されている。即ち、抑制機構５は、軸棒８に刻設されたラック８ａと、これと噛合するピニオン５ａとで構成され、かかるピニオン５ａは、軸棒８のラック８ａに噛合するように上記空間６ｃに配設されるとともに、かかる空間内に高粘性流体が充填されて当該ピニオン５ａの回転に抵抗力が加えられるようになっている。そして、一対の矩形状フランジが軸棒８の軸方向に突設された蓋体５ｂは、このピニオン５ａ上にかぶさってカバー６の上記開口部を塞ぐように上記空間６ｃに配設され、当該蓋体５ｂのフランジを挿通するビスによりカバー６に固定される。
【００１６】
次に、本隙間閉塞装置１の動作を図２，３を用いて説明する。尚、図２（Ａ）は、同図（Ｂ）のＡ矢視図である。
引戸Ｐを戸当り柱Ｒに当接させて閉じるべく当該引戸Ｐを移動して、例えば図２に示すような状態にあるときには、検知体３の、キャップ１０が圧入されている先端部がスプリング９によって引戸Ｐの前端面から突出しており、また、閉塞体４は、当該閉塞体４の磁性体４ｄが検知体３の、本実施の形態では可動片７の後部７ａ２から磁力を受けて検知体３に吸着され、したがって、図２（Ｂ）に示すように引戸Ｐの下端部と下枠Ｑとの間には隙間が生じている。
しかるに、引戸Ｐを更に移動させ当該引戸Ｐを戸当り柱Ｒに、例えば勢いよく当接させて閉じたときには、図３に示すように、検知体３の軸棒８及び可動片７がスプリング９の付勢力に抗して移動するときに、かかる移動が、ピニオン５ａの回転に及ぼす高粘性流体の抵抗力、及び当該ピニオン５ａと回転ラック８ａとの噛み合いによる抵抗力を受けるので、当該移動の速度は緩和され、突出状態の先端部が検知体３のカバー６内にゆっくり後退するようになる。このような後退に従って、上記可動片７の切欠き溝７ａ１、即ち非磁性部が閉塞体４の磁性体４ｄと対峙する位置（所定位置）に移動し、閉塞体４は、当該閉塞体に作用する重力が検知体３からの磁力より漸次勝って行く結果、そのヒンジ片４ｃを軸にしてゆっくり揺動して下枠Ｑ上に垂下して行くので、下枠Ｑ上に垂下するに際して急激に垂下して当該下枠Ｑに当接することはない。したがって、騒音を発することなく引戸Ｐの下端部と下枠Ｑとの間に生ずる隙間を閉塞できる（図３参照）。尚、引戸Ｐの移動速度が緩和されることから、引戸Ｐと戸当り柱Ｒとの間の騒音も解消できる。
【００１７】
本発明の第２の実施の形態に係る開閉体の隙間閉塞装置を図４〜６を参照して説明する。
本隙間閉塞装置２０は、上記装置と同様に、引戸（開閉体）Ｐ（図５，６参照）を閉じたときに、この引戸Ｐの下端部と当該引戸の下枠Ｑ（図５，６参照）との間に生ずる隙間を閉塞するためのものであるが、本実施の形態では図４に示すような断面略コ字状の長尺なケース体２１を介して引戸Ｐの下端部に取付けられ（ケース体２１は下端部にビス（図示せず）などで取付けられる）、引戸Ｐを勢いよく閉じても下記閉塞体２３による騒音が発しない上記同様の構造に加え、引戸Ｐを、当該引戸の下枠Ｑに設けられた係止部材３３（図５，６参照）の位置まで閉じれば、これ以降は引戸Ｐ自体が自走して自然に閉じられる構造をなしている。
したがって、本隙間閉塞装置２０は、引戸Ｐの下端部に当該下端部の長手方向に移動可能に配設された検知体２２と、引戸Ｐの下端部に検知体２２の移動に連動して当該下端部から垂下可能に配設された閉塞体２３と、検知体２２の移動速度を緩和する抑制機構２４とに加えて、引戸の下枠Ｑに設けられた係止部材３３に当接したときに、待機状態にセットされた検知体２２の当該セットを解除して検知体２２に付勢力を付与し、当該検知体２２に連動する引戸Ｐの、当該引戸Ｐが閉じられる方向への移動に自走力を与える操作体２５を備えている。
ところで、本隙間閉塞装置２０においては、上記連動のしかたは、後にも詳述するように、第１操作体２５のプレート片３２に対し閉塞体２３を吸着させるときは当該閉塞体２３の磁性部２３ｄを用いて、また、吸着を解除するときは当該磁性部２３ｄをプレート片３２と対峙させなくすることで行っている。
【００１８】
本隙間閉塞装置２０の構成を図４を参照して説明する。
検知体２２は、薄厚で細長な矩形状底板２６ａ及びこの底板２６ａの一方面上の縁端に沿って立設されたコ字状枠板２６ｂからなる部材で構成され、かかる部材の底板２６ａには、当該底板２６ａの略中央で、且つ、上記枠板２６ｂが立設されていない当該底板２６ａの長辺に近接して略Ｌ字状溝（所定形状溝）２７が形成されており、かかる溝２７のうち底板２６ａの短辺に並行な横溝２７ａが、当該底板２６ａの中央から前横枠板２６ｂ１側寄りに設けられる一方、底板２６ａの長辺に並行な縦溝２７ｂが、後横枠板２６ｂ２付近に達するところまで設けられている。そして、枠板２６ｂの縦枠板２６ｂ３には、この縦枠板２６ｂ３の中央から前横枠板２６ｂ１側寄りで当該縦枠板２６ｂ３の下部に抑制機構２４を構成するラック２２ａが固着されている。また、枠板２６ｂの前横枠板２６ｂ１には、この前横枠板２６ｂ１の中央から縦枠板２６ｂ３側寄りのところに下記軸棒３１が緩挿される小孔２６ｃが設けられている。尚、検知体２２は、当該検知体２２の前横枠板２６ｂ１がケース体２１の後端面に当接する状態にして、引戸Ｐの下端部に取付けられる（図５，６参照）。
【００１９】
閉塞体２３は、上記ケース体２１とほぼ同一の幅及び長さを有する断面略Ｈ字状の樹脂成形部材であり、長寸で薄厚なプレート部２３ａと、このプレート部２３ａの長手方向に沿う側端面に互いに対向する態様で設けられた一対のフランジ２３ｂ，２３ｃとで構成され、両フランジ２３ｂ，２３ｃの、Ｌ字状に折り曲げられた折曲部２３ｂ１，２３ｃ１は、互いに外側を向いていて、これら折曲部２３ｂ１，２３ｃ１が、ケース体２１の案内溝２１ａの下部の、当該ケース体２１の側面内壁２１ｂ，２１ｃに沿ってそれぞれ移動可能に配設されるので、閉塞体２３は、ケース体２１、即ち引戸Ｐの下端部に対して垂直方向に移動可能になっている。また、この閉塞体２３には、このプレート部２３ａの上面中央で両フランジ２３ｂ，２３ｃの間に薄厚の矩形状の磁性体２３ｄが固着されており、したがって、閉塞体２３は、当該閉塞体２３の磁性体２３ｄにより下記第１操作体２５のプレート片３２に吸着されるようになるが、検知体２２の移動によってプレート片３２が磁性体２３ｄに対峙しなくなる位置では、上記吸着が解除されるようになっている。
【００２０】
次に、本隙間閉塞装置２０の操作体２５を説明する。
操作体２５は、第１操作体２８、第２操作体２９及びスプリング（弾性部材）３０で構成され、このうちの第１操作体２８は、矩形状の本体部２８ａと、この本体部２８ａの後端面から長手方向（ケース体２１の長手方向と一致する方向）を向いて当該本体部２８ａの上面側に連なるフランジ２８ｂとで構成され、この第１操作体２８の長手方向の軸芯Ｃ−Ｃが当該第１操作体２８の一方側面側に偏芯している。そして、偏芯した側の側面及びこの側面に連なる上面に開口口を有する本体部２８ａ内部には、所定形状に区画された空間２８ｃが形成され、この空間２８ｃには、後述する抑制機構２４のピニオン２４ａ等が配設される。
【００２１】
更に、この第１操作体２８には、本体部２８ａの前端面から突設された細長の軸棒３１と、この軸棒３１に連結されるプレート片３２とが設けられている。このうちの軸棒３１は、当該軸棒３１の軸芯が上記第１操作体２８の軸芯Ｃ−Ｃと一致するようにして上述のように突設され、かかる軸棒３１は、第１操作体２８の本体部２８ａ及びフランジ２８ｂが検知体２２内に配設されたときに、検知体２２の小孔２６ｃに当該軸棒３１の先端部近傍の外周に設けられた溝部３１ａが検知体２２の外に位置されるように緩挿されるとともに、操作体２５のスプリング３０が、その一方のスプリング座を検知体２２の前横枠板２６ｂ１内面とし、他方のスプリング座を第１操作体２８の本体部２８ａの前端面として介装される。
ところで、第１操作体２８の軸芯Ｃ−Ｃ上で当該第１操作体２８のフランジ２８ｂの端部近傍に、貫通孔２８ｂ１が設けられている。
【００２２】
また、プレート片３２は、本実施の形態ではそれ自体が、鉄やニッケル、フェライト等のような磁石に吸着される磁性材で造られた極薄厚で細長な矩形状部材であり、ケース体２１内の上部に当該ケース体２１の長手方向に沿って設けられた案内溝２１ａに緩挿される。そして、このプレート片３２の、検知体２２の前横枠板２６ｂ１側の端部中央に、当該プレート片３２に対し垂直をなして下方に折曲された小フランジ３２ａが設けられており、この小フランジ３２ａには軸棒３１の溝部３１ａに挟着される逆Ｕ字状溝３２ａ１が設けられている。
【００２３】
操作体２５の第２操作体２９は、平たい略扇型形状をなす部材であり、この扇型形状の略円弧部に相当するところの略中央に凹溝２９ａが設けられる一方、当該部材の上面には、この扇型形状の略かなめに相当する付近に小円筒状のピン２９ｂが、また、当該部材の下面には、この扇型形状の略円弧部に相当する近傍でこの扇型形状の一方側端寄りのところに小形の略矩形状突条２９ｃが突設されている。このうちのピン２９ｂは、第１操作体２８の貫通孔２８ｂ１に緩挿され、これにより、第２操作体２９は、第１操作体２８に対して回動自在に配設される。また、突条２９ｃは、検知体２２のＬ字状溝２７に緩挿され当該Ｌ字状溝２７に沿って摺動可能に配設される。これにより、第２操作体２９と検知体２２間においてはＬ字状溝２７を介して所定の相対運動が可能になり、とりわけ、突条２９ｃがＬ字状溝２７の縦溝２７ｂを摺動するときには、第２操作体２９と検知体２２間における相対運動は、第２操作体２９から見ると検知体２２がケース体２１の長手方向に移動する現象として認識される。
【００２４】
また、本実施の形態の抑制機構２４は、上記第１の実施の形態の抑制機構５と同様の機構を採用しており、第１操作体２８の本体部２８ａ内部に区画された空間２８ｃに配設されるピニオン２４ａと、これと噛合する上記検知体２２のラック２２ａとで構成され、かかるピニオン２４ａは、上述のように空間２８ｃに配設されるとき、当該ピニオン２４ａの回転軸が第１操作体２８の軸芯Ｃ−Ｃ上に配設されるように位置決めされるとともに、上記空間内に充填された高粘性流体によって当該ピニオン２４ａの回転に抵抗力が加えられるようになっている。そして、一対の矩形状フランジが突設された蓋体２４ｂが、このピニオン２４ａ上にかぶさって第１操作体２８の本体部２８ａの上記開口部を塞ぐように上記空間２８ｃに配設され、当該蓋体２４ｂのフランジを挿通するビスにより本体部２８ａに固定される。
【００２５】
次に、本隙間閉塞装置２０の動作を図５，６を用いて説明する。尚、図５（Ａ），図６（Ａ）は本装置２０の平面図、図５（Ｂ），図６（Ｂ）はその正面図である。
引戸Ｐを戸当り柱Ｒに当接させて閉じるべく当該引戸Ｐを移動して、図５に示すような第２操作体２９が係止部材３３に当接する直前に至るまでの当該引戸Ｐの移動位置では、第２操作体２９の突条２９ｃが検知体２２のＬ字状溝２７のうちの横溝２７ａに係止され、このためにスプリング３０は、検知体２２の前横枠板２６ｂ１内面と第１操作体２８の本体部２８ａの前端面との間で圧縮されて検知体２２はセット状態にある。このとき、第２操作体２９は、当該第２操作体２９の扇型形状の一方側端面が、図５（Ａ）に示すように、検知体２２のラック２２ａの歯先に当接する一方、この扇型形状の円弧部に相当するところの一部が検知体２２から突出していて、係止部材３３に当接可能なようになっている。また、閉塞体２３は、当該閉塞体２３の磁性体２３ｄにより第１操作体２５のプレート片３２に吸着され、したがって、図５（Ｂ）に示すように引戸Ｐの下端部と当該引戸の下枠Ｑとの間には隙間が生じている。
【００２６】
しかるに、引戸Ｐを戸当り柱Ｒに当接させて閉じるべく引戸Ｐを、図５（Ｂ）の矢印方向に更に移動させる（上記セット状態を解除することに相当する）と、まず、第２操作体２９の、上述した検知体２２から突出している部分が、引戸の下枠Ｑに設けられた係止部材３３に当接する。かかる当接により、第２操作体２９は当該第２操作体２９のピン２９ｂを軸として回転し、かかる回転の開始とほぼ同時に第２操作体２９の凹溝２９ａに係止部材３３が嵌り込む一方、第２操作体２９の突条２９ｃが検知体２２の横溝２７ａから離脱して当該検知体２２の縦溝２７ｂに移動するために圧縮状態のスプリング３０が伸張する。しかるに、第２操作体２９の凹溝２９ａに係止部材３３が嵌り込み第２操作体２９は係止部材３３の位置で停留する（したがって、第１操作体２８も当該位置で停留する）ために、上記スプリング３０の伸張により、突条２９ｃが縦溝２７ｂに沿う態様で相対移動することに伴って検知体２２が図５（Ｂ）中の矢印方向に移動し、これに伴って引戸Ｐも同方向に移動する。そして、かかる引戸Ｐの移動は、外観上、引戸Ｐ自体が自走して自然に閉じる、という作用効果を実現できるので、使用者の利便性を向上させることができる。
【００２７】
また、本実施の形態では、上述した実施の形態と同様な抑制機構２４が備えられているので、突条２９ｃの、縦溝２７ｂに沿う相対移動、即ち検知体２２の上記矢印方向への移動が、ピニオン２４ａの回転に及ぼす高粘性流体の抵抗力、及び当該ピニオン２４ａとラック２２ａとの噛み合いによる抵抗力を受けるので、当該移動の速度は緩和され、引戸Ｐがゆっくり閉じられるようにできる。そして、このような移動に伴い、第１操作体２８のプレート片３２が閉塞体２３の磁性体２３ｄに漸次対峙しなくなるに従って上記吸着が解除され、閉塞体２３に及ぼす上記吸着力が漸次減少する下で、当該閉塞体２３は、そのフランジ２３ｂ，２３ｃの折曲部２３ｂ１，２３ｃ１が、ケース体２１の側面内壁２１ｂ，２１ｃに沿ってゆっくり下降移動し、当該内壁２１ｂ，２１ｃの最下端に設けられたフック部にそれぞれ掛止されるので、引戸の下枠Ｑ上に垂下する際して急激に垂下することはなく、したがって、騒音を発することなく引戸Ｐの下端部と引戸の下枠Ｑとの間に生ずる隙間を閉塞できる（図６（Ｂ）参照）。尚、引戸Ｐの移動速度が緩和されることから、引戸Ｐと戸当り柱Ｒとの間の騒音も解消できることはもちろんである。
【００２８】
ところで、引戸Ｐ自体が自走して自然に閉じる方法としては、本実施の形態以外に、例えば上枠に案内部材（レール）を斜めに傾ける方法や、ぜんまいバネによる方法、グラビティヒンジを用いる方法などがある。
【産業上の利用可能性】
【００２９】
本発明の隙間閉塞装置は、たとえ開閉体を勢いよく閉じても騒音を発しない利点があり、また、開閉体自体が自走力して自然に閉じられる構造としているため閉め忘れが防止できるとともに、開閉体の下端部と当該開閉体の下枠或いは床面との間、及び／又は開閉体の上端部と当該開閉体の上枠との間に隙間が生ずることがない利点があるなど使用者に不快感を与えず、使用者の利便性を考慮した商品価値の高いものと言える。
【図面の簡単な説明】
【００３０】
【図１】第１の実施の形態に係る隙間閉塞装置の分解斜視図である。
【図２】図１の装置の動作説明図である。
【図３】図１の装置の動作説明図である。
【図４】第２の実施の形態に係る隙間閉塞装置の分解斜視図である。
【図５】図４の装置の動作説明図である。
【図６】図４の装置の動作説明図である。
【図７】従来装置の構造図である。
【符号の説明】
【００３１】
１，２０              隙間閉塞装置
２                    扉
３，２２              検知体
４，２３              閉塞体
５，２４              抑制機構
５ａ，２４ａ          ピニオン
８ａ，２２ａ          ラック
２５                  操作体
２７                  Ｌ字状溝
２７ａ                横溝
２７ｂ                縦溝
２８                  第１操作体
２９                  第２操作体
２９ａ                凹溝
２９ｃ                突条
３０                  スプリング（弾性部材）
Ｐ                    引戸（開閉体）
Ｑ                    引戸（開閉体）の下枠
Ｒ                    戸当り柱
【図１】
0004842360.tif 000002
【図２】
0004842360.tif 000003
【図３】
0004842360.tif 000004
【図４】
0004842360.tif 000005
【図５】
0004842360.tif 000006
【図６】
0004842360.tif 000007
【図７】
0004842360.tif 000008